【事件の表示】
　特願２００２−　７３３８５「音声合成方法、音声合成装置、プログラム及び記録媒体、並びにロボット装置」拒絶査定不服審判事件〔平成１５年　９月２５日出願公開、特開２００３−２７１１７３、請求項の数（１０）〕について、次のとおり審決する。
【結　論】
　原査定を取り消す。
　本願の発明は、特許すべきものとする。
【理　由】
　本願は、平成１４年　３月１５日の出願であって、その請求項１ないし１０に係る発明は、特許請求の範囲の請求項１ないし１０に記載された事項により特定されるとおりのものであると認める。
　
　原査定の拒絶理由に引用した刊行物、及び原査定の際に周知技術として引用した刊行物には、次の事項が図面と共に開示されている（記載箇所は段落番号で表示）。
　
・特開平９−２４４８６９号公報（以下、「引用例１」という）
「【００２３】
【課題を解決するための手段】本発明の文章読み上げ方式は、処理対象となる漢字仮名混じり文章として、所定の処理動作を行う旨を示すタグ情報が挿入されたものが用いられ、１ページ分毎に入力される前記漢字仮名混じり文章を読み上げる文章読み上げ方式であって、前記漢字仮名混じり文章中のタグ情報を検索するタグ情報検索手段と、検索の結果検出されたタグ情報が示す処理動作を解析するタグ情報解析手段と、前記タグ情報解析手段により解析されたタグ情報が示す処理動作に応じて入力された前記漢字仮名混じり文章を読み上げる読み上げ実行手段とを有することを特徴とする。
【００２４】この場合、タグ情報が、タグ情報の開始を示す第１の記号と、タグ情報の終了を示す第２の記号と、各記号間に挟まれた処理動作の種類を示す識別子から構成され、タグ情報検索手段は前記第１および第２の記号を検索することによりタグ情報の検索を行い、タグ情報解析手段は前記識別子によりタグ情報が示す処理動作を解析することとしてもよい。
【００２５】また、タグ情報が示す処理動作の種類として読み方を指定する処理があり、タグ情報として、読み方を指定する旨の識別子および音韻・音律が付された第１のタグ情報と、前記第１のタグ情報に付された識別子に処理範囲の終了を示す第３の記号がさらに付された第２のタグ情報とがあり、読み上げ実行手段は、第１および第２のタグ情報の間の文字列については第１のタグ情報内の音韻・音律として読み上げることとしてもよい。」
　
・特開平１１−１８４４９０号公報（以下、「引用例２」という）
「【０００３】従来のテキストからの音声合成では、音声合成に必要なパラメータはテキスト分析の結果に応じて自動的に設定された値であった。そのため、歌詞を単純に読み上げることは可能であったが、声の高さや時間長を変えるなど、音符情報を考慮することは行われていなく、歌声を合成することは困難であった。一方、テキストからの音声合成を利用して、合成音声の時間長、声の高さ、声の強さ等の韻律情報を楽譜に合わせて設定すれば、再現性は保証され、いつでもどこでも誰でも自分で作成した歌詞付の音楽を楽しむことができ、その上安価である。また、利用者の要求にあったビブラートやサビといった歌声特有な情報を付加情報として加えることができれば、より広く音楽を楽しむことができる。
【０００４】
【発明が解決しようとする課題】この発明の目的は、楽譜のような歌詞と音符情報から歌声を合成することができる歌声合成方法を提供することである。
【０００５】
【課題を解決するための手段】この発明では、課題を解決するため、楽譜やＭＩＤＩファイル等で与えられた音符情報から、時間長、基本周波数を自動抽出し、これらを音声規則合成方式における韻律情報とし、歌詞をテキストとして音声を規則合成する。これまでのＤＴＭでは、楽器を使った曲しか作成できなかったが、歌声を出力することにより、作曲のほか作詞、さらには演出と応用範囲が広がり、いろいろな面から音楽を楽しむことができる。」
　
・特開平２−０２７３９７号公報（以下、「引用例３」という）
「［課題を解決するための手段］
　本発明では、上記目的を達成するために、音韻パラメータおよび韻律パラメータに基づいて合成音を発生する音声合成器と、楽譜に記載された歌詞、音符、音楽記号を入力する楽譜入力部と、歌詞に基づいて音韻パラメータを生成するとともに、音符および音楽記号に基づいて韻律パラメータを生成するパラメータ生成部とを設けているのである。
［作用］
　上記構成によれば、楽譜に記載されている各種歌詞、音符、音楽記号に基づいて、音韻パラメータと韻律パラメータとを生成するパラメータ生成部を備えているから、楽譜の生の情報を入力しさえすれば、音声合成器で必要とする音韻パラメータと韻律パラメータとは、パラメータ生成部で作成されるのであり、音声合成器による歌唱を実用レベルで行うことができるのである（公報第２頁右上欄）。」
　
・特開平７−１４６６９５号公報（以下、「引用例４」という）
「【００４７】
【作用】楽譜／歌詞入力手段（１０１）により入力された楽譜情報と歌詞情報が、パート分割手段（１０２）によりパート毎に分割され、楽譜情報の音符長時間情報が、音符長時間情報変更手段（１０６）により、同じくピッチ情報が、ピッチ情報変更手段（１０７）により、それぞれパート毎に異なるように変更される。
【０１０９】
【発明の効果】本発明によれば、合唱を構成する各パートが演奏する歌声のピッチ、及び音符長時間を、それぞれパート毎に僅かに異なるようにすることができる。また、歌声のピッチが変化する際に、そのピッチが不連続に変化するのではなく、滑らかに変化させるために、従来から短い一種のポルタメントが、元のピッチ変化に付加されていたが、本発明では、ポルタメントを付加するタイミングや、ポルタメントによるピッチ変化の傾き等のポルタメント・パラメータか、各パート毎に僅かに異なったポルタメントを、各パートの歌声信号に付加することができる。
【０１１０】また、ビブラートの開始タイミング、ビブラートの変動周波数、及びビブラートの振幅等のビブラート・パラメータが、各パート毎に僅かに異なったビブラートを、各パートの歌声に付加することができる。しかも、そのビブラートも従来のような単純なものでなく、例えば同じピッチの歌声が一定時間続く場合に、次第にビブラートのかけ方を深くするようななことも可能である。」
　
・特開２００１−２６５３７６号公報（以下、「周知例」という）
「【０００７】本発明は上記諸々の事情に鑑みてなされたものであり、あらかじめ蓄積された単語データの中から所望の単語データを抽出し、当該抽出された単語データとあらかじめ登録されてある固有の音声データとを所定のタイミングならびに順序で音声合成し、当該音声合成された音声データを音声信号として出力することにより、データ作成者の負担を軽減し、ハードウェア規模を縮小して低価格化を実現した音声合成出力装置ならびに方法および同方法が記録される記録媒体を提供することを目的とする。
【０００８】
【課題を解決するための手段】上述した課題を解決するために請求項１に記載の音声合成出力装置は、複数の単語データが蓄積されている単語データ蓄積装置と、前記単語蓄積装置より所望の単語データを抽出する単語データ抽出装置と、固有の音声データを出力する固有音声データ出力装置と、前記単語データ抽出装置から抽出された単語データと固有音声データ出力装置からの固有音声データを所定のタイミングおよび所定の順序で合成する音声合成装置と、音声合成装置により合成された音声データを音声信号として出力する音声信号装置とを備えることとした。
【０００９】また、請求項２に記載の音声合成出力装置は、請求項１に記載の同装置において、単語データつなぎ合わせ装置を更に備え、前記単語データ抽出装置により前記単語データ蓄積装置から複数の単語データを抽出し、前記単語データつなぎ合わせ装置により前記複数の単語データを所定タイミングおよび所定順序でつなぎ合わせることとした。更に、請求項３に記載の音声合成出力装置は、請求項１に記載の同装置において、前記単語データ蓄積装置に蓄積される単語データとして、少なくとも５０音別音声素片、アルファベット音声素片のいずれか一方が蓄積されてなることとした。また、請求項４に記載の音声合成出力装置は、請求項１に記載の同装置において、前記単語データ蓄積装置に蓄積される単語データとして、使用頻度の高い単語データ、もしくは特定の単語データが蓄積されてなることとした。使用頻度の高い単語データとして、ここでは実用化しやすいものとして和英の数字素材があり、数字音声素片、数字単語データのいずれかがあらかじめ格納されるものとする。
【００１０】上記各構成により、音声入力による単語をディジタル信号化して単語データベースとして構築し、このディジタル信号化した音声を記号入力によって台詞として再生できるようにし、再生の際に自然な発声に近づけるためにイントネーションや間合いに対応して連続再生することでデータ作成者の負担が軽減され、ハードウェア規模を縮小して低価格化を実現した音声合成出力装置を提供できる。」
　
　しかしながら、本願請求項１に係る発明の「入力されたテキストから歌声タグによって指定された歌声データ部分とそれ以外のテキスト部分とを分離する分離工程と、上記歌声データから歌声韻律データを作成する歌声韻律データ作成工程」なる工程により、「入力されたテキスト」から「歌声韻律データ」を作成することは、引用例１ないし４の何れにも記載されていなく、かつ示唆もされていない。
　また、「上記テキスト部分を解析し、当該テキスト部分に所定の単語又は文が存在する場合に、予め人間の発声から抽出された上記所定の単語又は文に対応する自然韻律データを記憶手段から選択する自然韻律データ選択工程」なる工程により、「自然韻律データ」を選択することについても、引用例１ないし４、及び周知例に記載されていなく、かつ示唆もされていない。
　
　したがって、本願の請求項１に係る発明は引用刊行物１ないし４に記載された発明、及び周知技術に基いて当業者が容易に発明をすることができたものと認めることができない。
　
　更に、本願請求項２ないし６に係る発明は、請求項１を引用するものであり、請求項７ないし１０に係る発明は、請求項１に係る発明の趣旨をそのままに、そのカテゴリーをそれぞれ、「音声合成装置」、「プログラム」、「プログラムが記録された記録媒体」及び「ロボット装置」とするものであるから、請求項２ないし１０に係る発明は、請求項１に係る発明と同じ理由により、引用刊行物１ないし４に記載された発明及び周知技術に基いて、当業者が容易に発明をすることができたものとすることができない。
　
　また、他に本願を拒絶すべき理由を発見しない。
　よって、結論のとおり審決する。